(57)【特許請求の範囲】
【請求項１】
所定の距離間隔で各々支点部と動点部とを有しており光軸を中心にして円形をした露光用開口部の周りで該支点部において同じ方向へ往復回動することによって該露光用開口部を開閉する３枚以上のシャッタ羽根と、前記各シャッタ羽根の動点部と回転可能に連結されており光軸を横切る方向へ往復運動することによって前記各シャッタ羽根を各々の支点部において往復回動させる作動部材と、前記作動部材に連結され該作動部材に往復運動をさせる駆動手段とを備え、前記シャッタ羽根の開閉作動において前記露光用開口部に最も近づく動点部を有するシャッタ羽根の支点部の光軸間距離が他のシャッタ羽根の支点部の光軸間距離よりも長くなるように設定されていることを特徴とするカメラ用シャッタ装置。
【請求項２】
前記各シャッタ羽根の支点部の光軸間距離が全て異なるように設定されていることを特徴とする請求項１に記載のカメラ用シャッタ装置。
【請求項３】
前記シャッタ羽根のうち少なくとも一つのシャッタ羽根と前記作動部材との連結がピンと長孔による嵌合結合であることを特徴とする請求項１又は２の何れかに記載のカメラ用シャッタ装置。
【請求項４】
前記駆動手段がモータであって、前記作動部材との連結がピンと円孔又はピンと長孔による嵌合結合であることを特徴とする請求項１乃至３の何れかに記載のカメラ用シャッタ装置。
【発明の詳細な説明】
【０００１】
【発明の属する技術分野】
本発明は、円形の露光用開口部を、撮影に際し、複数枚のシャッタ羽根によって開閉するレンズシャッタと言われているタイプのカメラ用シャッタ装置に関する。
【０００２】
【従来の技術】
この種のシャッタは、露光作動に際して、シャッタ羽根が、露光用開口部を、光軸中心から開いて行き、その後、光軸中心に向けて閉じて行くようにしたものであって、その作動中には、出来るだけ円形に近い開口形状を保っていることが理想とされている。そのため、かつては、露光用開口部の周辺位置に等間隔に複数枚（５枚が多い）のシャッタ羽根を配置し、それらを、光軸を中心にして往復回転する駆動リングによって作動させていた。しかしながら、そのような構成のシャッタは、駆動リングの摺動面における摩擦抵抗が極めて大きく、シャッタの高速化に対応できるようにするためには種々の工夫が必要となる。そのため、コスト高となり、時代の要請である低コスト化に応じるのが難しいという問題点があった。
【０００３】
その後、フィルム技術やレンズ技術の進歩と共に、上記した作動中の開口形状については余り厳しく言われなくなり、むしろ低コスト化の方が重視されるようになってきた。そのため、駆動リングを用いるタイプのものは、プロ用の大型シャッタを除いて姿を消し、それに代わって、古くはバリオタイプと言われていた２枚羽根のシャッタが主流になってきた。しかしながら、ある程度の性能を要求される通常のグレード以上のシャッタにおいては、上記した作動中の開口形状が大きく崩れて良いわけがなく、円形に近い最小限の形状は保たれるようにする必要がある。そのため、各羽根の外形形状及び寸法は、それに沿うようにして決められていた。ところが、最近になると、低コスト化は勿論のことであるが、むしろ、小型化，電動化についての要請の比重が大きくなり、特に小型化についての要請が極めて大きくなってきた。
【０００４】
【発明が解決しようとする課題】
ところで、レンズシャッタを小型化するという場合には、露光用開口部を全開した場合におけるシャッタ羽根の収容スペースの大きさが、言い換えれば、その収容のために必要な光軸を中心とした環状平面部の径方向の寸法が、一つの大きな目安となる。しかし、上記のような２枚羽根構成のシャッタにおいては、既に、これ以上小型化すると、通常のグレードのシャッタとして、円形に近い最小限の形状を維持できないところまで小型化されている。そこで、その点を解消し、更に小型化するためには、どうしてもシャッタ羽根を３枚以上にすることが必要になる。しかし、その場合、上記した理由によって駆動リングを用いる訳にはいかない。まして、電動化への要請から駆動源にモータを使用する場合には、シャッタの小型化の趣旨から、モータ自体をも小型化する必要があり、その結果、駆動力が弱くならざるを得なくなっている。また、消費電力を少なくする趣旨からも駆動力が弱くて済むようにすることが要求されている。従って、そのような点からも摩擦抵抗力が大きい上記の駆動リングを用いることは適当でない。
【０００５】
他方、上記のような駆動リングの代わりに、摩擦抵抗力が小さくて済むリンク部材と称する作動部材を設け、それによってシャッタ羽根を開閉作動させるシャッタが本件出願人から提案され、実開平７−５１３１号公報で知られている。しかし、このような構成のシャッタは摩擦抵抗力が小さい点で有利であるものの、この作動部材の往復作動は光軸を横切る方向に対して行われるため、シャッタを小型化するために、上記した環状平面部における径方向の寸法を小さくしていくと、上記作動部材と、いずれか一つの羽根の動点部との連結部が、作動上、露光用開口部内へ侵入してしまうという事態を生じることになる。
【０００６】
本発明は、このような問題点を解決するためになされたものであり、その目的とするところは、光軸を横切る方向に往復運動を行う作動部材が、３枚以上のシャッタ羽根を開閉作動させるようにしたシャッタ装置において、小型化しても該作動部材が露光用開口部内へ侵入しないで済むようにしたカメラ用シャッタ装置を提供することである。
【０００７】
【課題を解決するための手段】
上記の目的を達成するために、本発明のカメラ用シャッタ装置においては、所定の距離間隔で各々支点部と動点部とを有しており光軸を中心にして円形をした露光用開口部の周りで該支点部において同じ方向へ往復回動することによって該露光用開口部を開閉する３枚以上のシャッタ羽根と、前記各シャッタ羽根の動点部と回転可能に連結されており光軸を横切る方向へ往復運動することによって前記各シャッタ羽根を各々の支点部において往復回動させる作動部材と、前記作動部材に連結され該作動部材に往復運動をさせる駆動手段とを備え、前記シャッタ羽根の開閉作動において前記露光用開口部に最も近づく動点部を有するシャッタ羽根の支点部の光軸間距離が他のシャッタ羽根の支点部の光軸間距離よりも長くなるように設定する。
【０００８】
また、本発明のカメラ用シャッタ装置においては、好ましくは、前記各シャッタ羽根の支点部の光軸間距離が全て異なるように設定する。
また、本発明のカメラ用シャッタ装置においては、好ましくは、前記シャッタ羽根のうち少なくとも一つのシャッタ羽根と前記作動部材との連結がピンと長孔による嵌合結合であるようにする。
更に、本発明のカメラ用シャッタ装置においては、好ましくは、前記駆動手段がモータであって、前記作動部材との連結がピンと円孔、又はピンと長孔による嵌合結合であるようにする。
【０００９】
【発明の実施の形態】
本発明の実施の形態を、図１乃至図７に示した実施例によって説明する。図１は実施例の平面図であり、シャッタ閉鎖状態を示している。図２は図１に示されている駆動モータ部の断面図であり、図３はその駆動モータに用いられている永久磁石の取付部を示す説明図である。図４は図１に示された作動部材の説明図である。図５は作動部材とシャッタ羽根との連結構成を示す断面図であり、図６はシャッタ羽根の位置検出機構を示す断面図である。また、図７はシャッタ全開状態を示している平面図である。尚、図１，図４，図７は図面の表面側がフィルム面側であって、背面側が被写体側になる。また、その他の図面においては上方がフィルム面側であって、下方が被写体側になる。
【００１０】
先ず、本実施例の構成から説明する。シャッタ地板１と補助地板２は合成樹脂製であって、共に光軸を中心にした円形の開口部１ａ，２ａを有している。この場合、開口部１ａの直径の方が開口部２ａの直径よりも僅かに小さいため、開口部１ａが露光用開口部となっている。図２に示すように、シャッタ地板１と補助地板２とは、シャッタ地板１に形成された可撓性のあるフック部１ｂを補助地板２の縁に掛けることによって相互に取り付けられ、それらの間に空間部を形成している。尚、本実施例においては、このようなフック部１ｂを３箇所に設けているが、図１及び図７においては、そのうちの１箇所を省略して示してある。
【００１１】
補助地板２の外周縁には、所々に複数の壁２ｂが形成されており、図５及び図６から分かるように外周方向からの遮光に役立っている。また、これらの図から分かるように、壁２ｂの上端がシャッタ地板１に接することによって、シャッタ地板１と補助地板２との間隔が決められているが、場所によっては図２に示すように、シャッタ地板１と補助地板２に夫々突起部１ｃ，２ｃを形成し、それらを接触させることによっても間隔を規制できるようにしている。そして、シャッタ地板１と補助地板２との間に形成された空間部には、作動部材３と３枚のシャッタ羽根４，５，６が、それらの一部を重ねるようにして配置されている。その場合、作動部材３が一番補助地板２側であって、シャッタ地板１側に向けてシャッタ羽根４，５，６の順になっている。
【００１２】
図１と同じようにシャッタ閉鎖状態における作動部材３とシャッタ羽根４が図４に示されている。この図から分かるように、作動部材３は環状をしており、縦長で同じ形状をした三つの長孔３ａ，３ｂ，３ｃと、横長形状の二つの長孔３ｄ，３ｅと、二つの円孔３ｆ，３ｇと、三つの張出部３ｈ，３ｉ，３ｊとが形成されており、それらのうち三つの張出部３ｈ，３ｉ，３ｊは、図１に示されているように補助地板２に形成された三つの台部２ｄ，２ｅ，２ｆに摺接するようになっている。尚、この作動部材３は、以後の説明からも理解されるように、環状ではなく、一部を切断して、Ｃ又は逆Ｃ状に形成しても差し支えない。
【００１３】
３枚のシャッタ羽根のうちシャッタ羽根５，６は同じ形状をしており、先端に夫々張出部５ａ，６ａが形成されているが、両者は配置上、支障がないので、同じ形状にしているだけであり、本実施例においては、張出部６ａは何の意味も有しない。また、張出部５ａを形成している理由については後で説明する。シャッタ羽根４，５，６の各支点部には、符号を付けていないが夫々円孔が形成されており、それらの円孔は、シャッタ地板１に形成された軸１ｄ，１ｅ，１ｆに回転可能に嵌合している。そして、各軸１ｄ，１ｅ，１ｆの先端は、上記した作動部材３の長孔３ａ，３ｂ，３ｃに緩く挿入されている。尚、図１で示すように、軸１ｅと軸１ｆは光軸中心からの距離が共にＬ1 であるが、軸１ｄは光軸中心からの距離がＬ1 より長く、Ｌ2 となるように設定されている。
【００１４】
シャッタ羽根４，５，６の各動点部は、夫々連結軸７，８，９によって、作動部材３に対して回転可能に取り付けられている。それらの連結構成を主として図５によって説明する。この図５に示されているのは、作動部材３とシャッタ羽根５の連結構成である。連結軸８には、直径の異なる軸部８ａ，８ｂが形成されており、軸部８ａには作動部材３の円孔３ｆが回転可能に嵌合している。また軸部８ｂにはシャッタ羽根５に形成された孔を嵌合させた後、かしめ加工によって両者を一体化している。シャッタ羽根４，６も同じようにして、作動部材３の孔３ｅ，３ｇの位置で、各連結軸７，９によって取り付けられている。更に、図５に示すように、補助地板２には、各連結軸７，８，９が干渉せずに作動できるようにするために、各連結軸の作動領域に対応させて逃げ溝２ｇが形成されている。但し、図１及び図７においては、図面を分かりやすくするために、連結軸９に対する逃げ溝の図示を省略してある。
【００１５】
次に、主に図１，図２，図３を用いて本実施例の駆動モータ部の構成を説明する。シャッタ地板１の表面側にはヨーク部材１０が二つのビス１１によって取り付けられている。このモータの回転子１２はコイルボビンであって、図２から分かるように、シャッタ地板１とヨーク部材１０によって回転可能に支持されている。この回転子１２には、その回転軸を避けるようにして回転方向とは直交する方向にコイル１３が巻かれており、また回転子１２と一体に形成された駆動ピン１２ａが、シャッタ地板１に円弧状に形成されている孔１ｇを貫通し、作動部材３の長孔３ｄに嵌合している。そして、モータの固定子となる円筒形の永久磁石１４は、シャッタ地板１に設けられた椅子状の二つの台座１ｈ，１ｉ（図３参照）に載置され、接着剤等の適宜な手段によって固定されている。尚、図１及び図７においては、駆動ピン１２ａが夫々シャッタ閉鎖状態と全開状態の位置で示されているが、回転子１２は、図面が分かりにくくならないようにするために、いずれも故意に閉鎖状態と全開状態の中間位置で示してある。
【００１６】
本実施例には、シャッタ羽根の開き作動位置の検出装置が設けられている。その装置の構成を、主に図１及び図６を用いて説明する。補助地板２には、検出素子としてフォトリフレクタ１５が取り付けられている。このフォトリフレクタ１５は発光部１５ａと受光部１５ｂを有しており、発光部１５ａから出射された光は、補助地板２に形成されたスリット状の孔２ｈからシャッタ羽根５の作動空間に入り、シャッタ地板１に取り付けられた反射シート１６で反射され、受光部１５ｂに入射するようになっている。そして、発光部１５ａから反射シート１６に出射された光は、上記したシャッタ羽根５の張出部５ａによって遮断され得るようになっている。
【００１７】
次に、本実施例の作動を説明する。図１のシャッタ閉鎖状態において、シャッタがレリーズされると、先ず、電源スイッチが閉じ、フォトリフレクタ１５が通電状態となる。それによって、発光部１５ａの出射光は反射シート１６で反射され、受光部１５ｂに達するので、フォトリフレクタ１５は図示していない露光時間制御回路にＨレベルの信号を発することになる。そして、その直後に、回転子１２に巻かれたコイル１３に対し、一方方向への通電が行われると、回転子１２が反時計方向へ回動する。それによって、駆動ピン１２ａが円弧状の孔１ｇ内を上方へ移動するため、長孔３ｄとの嵌合関係によって作動部材３も上方へ移動する。そして、その上方への移動は、シャッタ羽根４，５，６の支点部（軸１ｄ，１ｅ，１ｆの位置）と動点部（連結軸７，８，９の位置）との距離が不変であり、作動部材３の円孔３ｆ，３ｇが連結軸８，９と嵌合（リンク結合）していることから、円弧を描くようにして行われることになる。
【００１８】
このようにして、作動部材３が作動を開始すると、それに伴ってシャッタ羽根４，５，６も、夫々軸１ｄ，１ｅ，１ｆを中心にして反時計方向へ回転を開始する。そして、シャッタ羽根５の張出部５ａがフォトリフレクタ１５の光路を遮断すると、その出力信号であるＬレベルの信号によって露光時間制御回路によるカウントが開始される。その後、シャッタ羽根４，５，６が、露光用開口部１ａを光軸を略中心にして開いて行き、全開位置で停止した状態が図７に示されている。
【００１９】
この図７において、作動部材３とシャッタ羽根５，６との連結部（即ち、シャッタ羽根５，６の動点部である連結軸８，９の近傍部）は、露光用開口部１ａから完全に離れた位置にあるが、作動部材３とシャッタ羽根４との連結部は露光用開口部１ａの近接位置にある。もしも、軸１ｄの光軸間距離が、軸１ｅ，１ｆと同じようにＬ1 （図１参照）であった場合には、この連結部は完全に露光用開口部１ａ内に侵入していることになってしまう。しかしながら、本実施例においては、図１に示すように、軸１ｄの光軸間距離がＬ1 より長く、Ｌ2 であるから、露光用開口部１ａ内に侵入せずに済んでいる。
【００２０】
このような図７の全開状態において、露光時間制御回路が所定のカウントを終了すると、その出力信号に応じて、コイル１３には、上記とは逆向きの通電が行われる。そのため、回転子１２は時計方向へ回転し、駆動ピン１２ａによって作動部材３に復帰作動を行わせる。従って、シャッタ羽根４，５，６は、夫々軸１ｄ，１ｅ，１ｆにおいて時計方向へ回転され、露光用開口１ａを閉鎖し、図１の状態で停止する。そして、コイル１３とフォトリフレクタ１５への通電が断たれ、一回の撮影が終了する。
【００２１】
尚、上記の実施例においては、作動部材３に形成された孔３ｅ，３ｆ，３ｇのうち、孔３ｅを長孔にしているが、本来であれば、この孔３ｅも円孔であることが好ましい。しかしながら、実施例においては、製造上の誤差に対応できるようにするために、機能上に問題のない範囲内で、孔３ｅを長孔にした場合の例を示している。このように、本発明においては、実施例のほかに種々の実施態様が考えられる。例えば、孔３ｅのほかにもう一つの孔（孔３ｆ又は３ｇ）を長孔としてもよいし、また、長孔３ｄを円孔とすることによって三つの孔３ｅ，３ｆ，３ｇを全て長孔とすることも可能である。更に、作動部材３を、摩擦抵抗力の小さい適宜なガイド手段によって直線運動するように構成した場合には、長孔３ｄを円孔にしないでおいて、孔３ｅ，３ｆ，３ｇを全て長孔とすることも可能である。
【００２２】
また、上記の実施例は、低コスト化の観点からシャッタ羽根を３枚にしているが、本発明は、それに限定されず、それ以上であっても差し支えない。また、上記の実施例においては、軸１ｄの光軸間距離Ｌ2 のみを、他の軸１ｅ，１ｆの光軸間距離Ｌ1 と異なるようにしているが、全ての光軸間距離が異なるようにしても差し支えない。更に、上記の実施例においては、駆動源であるモータと作動部材との連結を、ピンと長孔（スロット）との嵌合連結にしているが、上記した実開平７−５２３１号公報記載のもののように歯車による噛合連結ににしても差し支えない。更には、駆動源はモータに限定されず、周知のような、ばね駆動の開閉レバーを用いるようにしても構わない。
【００２３】
【発明の効果】
上記のように、本発明によれば、光軸を横切る方向に往復運動を行う作動部材が３枚以上のシャッタ羽根を開閉作動させるように構成しても、該作動部材が、シャッタ羽根との連結近傍部を露光用開口部内へ侵入させることのないようにすることが可能となるので、摩擦抵抗力の小さい小型のシャッタとして極めて有効な構成である。
【図面の簡単な説明】
【図１】本発明の実施例の平面図であり、シャッタ閉鎖状態を示している。
【図２】実施例における駆動部の断面図である。
【図３】実施例における永久磁石の取付部を示す説明図である。
【図４】実施例における作動部材の説明図である。
【図５】実施例における作動部材とシャッタ羽根との連結構成を示す断面図である。
【図６】実施例におけるシャッタ羽根の位置検出機構を示す断面図である。
【図７】本発明の実施例の平面図であり、シャッタ全開状態を示している。
【符号の説明】
１                          シャッタ地板
１ａ，２ａ                  開口部
１ｄ，１ｅ，１ｆ            軸
１ｈ，１ｉ                  台座
２                          補助地板
２ｄ，２ｅ，２ｆ            台部
２ｇ                        逃げ溝
３                          作動部材
３ａ，３ｂ，３ｃ，３ｄ，３ｅ    長孔
３ｆ，３ｇ                  円孔
３ｈ，３ｉ，３ｊ，５ａ      張出部
４，５，６                  シャッタ羽根
７，８，９                  連結軸
１０                        ヨーク部材
１２                        回転子
１２ａ                      駆動ピン
１４                        永久磁石
【図１】
0003801685.tif 000002
【図２】
0003801685.tif 000003
【図３】
0003801685.tif 000004
【図４】
0003801685.tif 000005
【図５】
0003801685.tif 000006
【図６】
0003801685.tif 000007
【図７】
0003801685.tif 000008